Podtech/llm-jp-corpus-v4-ja_patent huggingface dataset:
(57)【要約】      （修正有）【課題】スマートフォン又は携帯電話のスピーカーとしてマグカップ型の単純な構造で安易に使用でき、クリアな音質が得ることができ、またスマートフォン又は携帯電話スタンドとして活用できるスマートフォン用簡易スピーカーを提供する。【解決手段】マグカップ本体１の側面下部に１ないし複数の穴４をあけ、その中にスマートフォンまたは携帯電話等を入れ、音楽等の音を再生する時、共振等の現象による音量の増加を利用し、側面の穴からのダイレクト音による、こもり音の少ないクリアでダイレクトな音質を確保することができる。日常的に親しみやすいマグカップの形をしたスマートフォンまたは携帯電話スタンドとして活用でき、生活空間の中でスマートフォンの置き場として認識されるため、スマートフォン等を探し回ることが避けられ、着信音も拡大されるため、広い室内においても着信を確認することが容易になる。【選択図】図１
0003202515.tif 000002
【実用新案登録請求の範囲】
【請求項１】
マグカップの形状の側面下部に１ないし複数の穴をあけ、その中にスマートフォンまたは携帯電話等を入れ、音楽等の音を再生する時、共振等の現象による音量の増加を利用し、側面の穴からのダイレクト音による、こもり音の少ないクリアでダイレクトな音質を確保することができるスマートフォン用の簡易スピーカーである。
日常的に親しみやすいマグカップの形をしたスマートフォンまたは携帯電話スタンドとして活用でき、生活空間の中でスマートフォンの置き場として認識されるため、スマートフォン等を探し回ることが避けられる。
着信音も拡大されるため、広い室内においても着信を確認することが容易になる。
【考案の詳細な説明】
【技術分野】
【０００１】
本考案は側面に１から複数の穴をあけた、音量の拡大と、そのことにより発生するこもり音を軽減し、クリアな音質を確保するマグカップ形状のスマートフォン又は携帯電話用スピーカーである。
【背景技術】
【０００２】
従来の製品はスピーカーの機能に特化したものであったが、本考案は日常的に親しみやすいマグカップの形状を活用することで、スマートフォンや携帯電話の置き場として活用すると共に、電源不要のためどこでも拡大されたクリア音が楽しめ、着信音も離れていても聞こえやすい。
【先行技術文献】
【特許文献】
【０００３】
【特許文献１】実願2014-005472号  広報
【考案の概要】
【考案が解決しようとする課題】
【０００４】
スマートフォン又は携帯電話のスピーカーとしてマグカップ型の単純な構造で安易に使用でき、上部開口部からの共鳴音および反響音による音量の増加と側面開口部からの直接音でクリアな音質が得ることができる。またスマートフォン又は携帯電話スタンドとして活用でき、スマートフォン又は携帯電話の所在かわかりやすく、着信音も室内の何処にいても確認できることを解決しようとするものである。
【課題を解決するための手段】
【０００５】
マグカップの側面下部に1ないし複数の穴をあけることにより、スマートフォン又は携帯電話のスピーカーからの音がダイレクトに抜け、共鳴音および反響音では得られないこもり音の少ないクリアで切れの良い音質を確保することを解決しようとするものでありある。
【考案の効果】
【０００６】
カップ等の中でスマートフォン等の音が共振および反響により、音量が増加することは知られており、この現象を利用したスマートフォン用スピーカーも開発されている。これらは反響音によりこもった音になる傾向があり、音楽の再生時にクリアで切れの良い音質に欠けるが、本考案のマグカップ型スマートフォン用スピーカーはマグカップの側面に穴をあけることにより、共鳴音および振反響による音量の増幅と、穴を通して音源よりダイレクトに聞こえる事により、こもり音の少ないクリアな音質の効果を確保することができ、より質の高い音質得ることができる。日常的なマグカップの形状を用いることで、生活空間に馴染み、スマートフォン又は携帯電話のスタンド（収納器）としても活用でき、マートフォン又は携帯電話の定位置を確保し、探す手間が省ける。着信時の大きな音量で離れていても着信を確認できる効果を確保できる。構造上充電ケーブルを繋いだままでの使用が可能である。
【表１】
0003202515.tif 000003
【図面の簡単な説明】
【０００７】
【図１】本考案のマグカップ型スマートフォン用スピーカーの本体および各部分を示す三面図である。
【図２】マグカップ型スマートフォン用スピーカーの実施例および音の流れを示す図である。
【考案を実施するための形態】
【０００８】
以下図面にしたがって実施例を説明する。マグカップの側面下部に１ないし複数の穴をあけたものである。本体は磁器により形成しスマートフォンおよび携帯電話が入るサイズとする。金属および木質でも可、素材によって音質の変化が見られ、磁器による再生が音量増加および音質のおいて良い結果が得られた。（1）
【実施例】
【０００９】
マグカップ型スマートフォン用スピーカーを通常テーブル棚などのうえに置き、スマートフォンまたは携帯電話のスピーカー部を下に向けて中に入れる。穴に向かってスマートフォン等下部（スピーカー部）を奥に上部を手前に倒した状態で設置し、音楽等を再生する。充電コードを接続したままでも使用可能である。  （2）
【００１０】
スピーカーとして使用する以外に、通常スマートフォンおよび携帯電話スタンドとして使用でき、スマートフォン等の置き位置が認識しやすく、探すことも少なくなる。着信音も増幅されるので着信の確認も容易になる。
【符号の説明】
【００１１】
1. スマフォカップ各部名称および寸法
1-本体
2-直径
3-高さ
4-直接音穴
5-スマートフォンまたは携帯電話
6-スピーカー部分
7-直接音+共鳴音
8-9-共鳴により増幅された音
【図１】
0003202515.tif 000004
【図２】
0003202515.tif 000005
【手続補正書】
【提出日】平成27年12月1日(2015.12.1)
【手続補正１】
【補正対象書類名】実用新案登録請求の範囲
【補正対象項目名】全文
【補正方法】変更
【補正の内容】
【実用新案登録請求の範囲】
【請求項１】
マグカップの形状の側面下部に１ないし複数の穴をあけ、その中にスマートフォンまたは携帯電話等を入れ、音楽等の音を再生する時、共振等の現象による音量の増加を利用し、側面の穴からのダイレクト音による、こもり音の少ないクリアでダイレクトな音質を確保することができるスマートフォン用の簡易スピーカーであり、日常的に親しみやすいマグカップの形をしたスマートフォンまたは携帯電話スタンドとして活用でき、生活空間の中でスマートフォンの置き場として認識されるため、スマートフォン等を探し回ることが避けられ、着信音も拡大されるため、広い室内においても着信を確認することが容易になることを特徴とするスマートフォン用簡易スピーカー。
(57)【要約】      （修正有）【課題】空のスパウト付パウチに対して飲料、食品、調味料等内容物の充填口を別途設け、必要分量の封入、製造、保存及び携帯を可能とするスパウト付パウチを提供する。【解決手段】スパウト付パウチは、パウチ本体部と、本体上部に内容物の抽出口であるスパウト３及び口栓としてのキャップ２を備える。パウチ本体部底面（下部）は密封された状態ではなく、互いに対抗する位置に線状ファスナー４を設け、開封を可能とする。【選択図】図１
0003202511.tif 000002
【実用新案登録請求の範囲】
【請求項１】
本体上部に内容物の抽出口であるスパウト部分及び口栓としてのキャップ部分を備え、スパウト抽出口を除く上部及び両側面が密封され、本体下部には互いに対抗する位置に線状ファスナーを備えるスパウト付パウチ。
【請求項２】
本体表面片側に透明素材を使用し、内容物の確認を可能とした請求項１に記載のスパウト付パウチ。
【考案の詳細な説明】
【技術分野】
【０００１】  本考案は、保存、携帯及び内容物の取出しが容易で、飲料や調味料等に使用されているスパウト付パウチに関する。
【背景技術】
【０００２】  耐久性や密封性に優れたスパウト付パウチは、飲料や調味料等に関して、使い切り商品の容器として使用されている。
【先行技術文献】
【特許文献】
【０００３】
【特許文献１】特許５００９３２９明細書
【特許文献２】特許５２６２７１２明細書
【考案の概要】
【考案が解決しようとする課題】
【０００４】  しかしながら従来のスパウト付パウチは、予め定められた分量の内容物を封入し、市販する目的で使用されており、各個人が自作、或いは、別の容器で市販されている飲料、食品、調味料等を、必要分量だけ封入し、製造、保存、携帯する用途では使用されていなかった。【０００５】  従って本考案の目的は、空のスパウト付パウチに対して飲料、食品、調味料等内容物の充填口を別途設け、必要分量の封入、製造、保存及び携帯を可能とするものである。
【課題を解決するための手段】
【０００６】  本考案に係るスパウト付パウチは、パウチ本体部と、本体上部に内容物の抽出口であるスパウト部分及び口栓としてのキャップ部分を備える。【０００７】  パウチ本体部底面（下部）は密封された状態ではなく、互いに対抗する位置に線状ファスナーを設け開封を可能とする。
【考案の効果】
【０００８】  以上のように本考案によれば、空のスパウト付パウチに対して、底面（下部）から飲料、食品、調味料等の必要分量の封入及び製造、その後の保存、携帯を可能とするものである。
【図面の簡単な説明】
【０００９】
【図１】本考案の第１実施例における、概略斜視図である。
【考案を実施するための形態】
【００１０】  以下、本考案について、図１を用いて説明する。
【００１１】  パウチ本体は、上部（スパウト抽出口を除く）及び両側面を密封された状態とする。
【００１２】  パウチ本体部底面（下部）には、線状ファスナーを設ける。
【実施例】
【００１３】  パウチ下部の線状ファスナーを開封した状態で、各個人の自作、或いは、別の容器で市販されている飲料、食品、調味料等を、必要分量だけパウチ内部に入れ、その後線状ファスナーで密封する。
【符号の説明】
【００１４】１  パウチ本体表面
２  キャップ
３  スパウト
４  パウチ下部線状ファスナー
【図１】
0003202511.tif 000003
(57)【要約】      （修正有）【課題】冬場の給気不足によるさまざまなリスクを解消すると共に、設置手段が容易である給気フードを提供する。【解決手段】ヒーター２とサーモスイッチ３を内蔵した給気フード１であり、天井上部の外部壁面に設置し、ヒーターとサーモスイッチにより、温度管理した外気を天井内に取り入れ、室内給気口から給気する構成であり、ドラフトや内部結露の防止、シックハウス対策の一つとして役立つ。さらに、フード、ヒーター、サーモスイッチを一体化したことで、容易に取り付けることができる。【選択図】図１
0003202518.tif 000002
【実用新案登録請求の範囲】
【請求項１】
本体にヒーターとサーモスイッチを備えた給気フードであって、一体化したことにより、給気不足によるリスクの解消を容易になしうる。
【請求項２】
本体下部にガラリを設けた請求項１の給気フード
【請求項３】
本体下部に防鳥網を設けた請求項１の給気フード
【考案の詳細な説明】
【技術分野】
【０００１】
本考案は、本体内部で外気温度を加熱して、容易に取り付けることができる給気フードに関する。
【背景技術】
【０００２】
２００３年の建築基準法の改正で、２４時間換気が義務づけられた。常時換気扇を運転させて空気を排出する為、それに対応する量の新鮮な空気を取り入れる必要がある。
【０００３】
充分な換気を行い、シックハウスを防ぐ等の目的からいえば２４時間換気の浸透は必要不可欠なことである。
【０００４】
しかし、厨房やキッチンなどでは、風量の大きな換気扇、または油煙・湿気に配慮した換気扇が求められる。給気は自然で排気は排気ファンを使って強制排気する第３種換気が一般的であるが、排気量と同量の給気量を取り入れなければ、充分な換気ができない。只、冬場は冷気の侵入を嫌って給気を閉じてしまう場合があり、給気が入ってこないため、排気の効率が下がり、室内の空気が停滞してしまう場合がある。さらに外気温が低く、室内温度が高い場合、本体の表面や内部に結露が発生することがある。外気温度との差をなくすため、外気取入電動シャッターにヒーターを設け、該外気取入電動シャッターの開放時に前記ヒーターに通電する構成のものもある。
【先行技術文献】
【特許文献】
【０００５】
【特許文献１】特開平１１−２３７０８８
【考案の概要】
【考案が解決しようとする課題】
【０００６】
解決しようとする問題点は、冬場の給気不足によるさまざまなリスクを容易に解決することである。
【課題を解決するための手段】
【０００７】
本考案は、外気取入口にあたる給気フード１において、ヒーター２とサーモスイッチ３を内蔵し、該給気フード１の取付のみで給気不足から起こる問題点を解消することを特徴とする。
【考案の効果】
【０００８】
本考案は、ヒーター２とサーモスイッチ３を内蔵した給気フード１を天井上部の外部壁面に設置し、天井内から室内給気口を通って室内に給気をおこなう。ヒーター２とサーモスイッチ３により適正な温度に管理した外気を取り入れ、給気不足によるドラフトの問題や内部の結露防止、シックハウス対策の一つとして役立つ。さらに給気フード１とヒーター２、サーモスイッチ３が一体となっている為、外気を
加熱させる手段が容易で、壁面の開口部に一体となった給気フード１の本体受板８を合わせ、取り付けるだけで、効果をなす。
【図面の簡単な説明】
【０００９】
【図１】本考案を実施する為の構成を示す断面図である。(縦断)
【図２】本考案を実施する為の構成を示す断面図である。(横断)
【図３】本考案の実施例の斜視図である。
【図４】本考案の給気フード取付時の空気の流れを示す斜視図である。
【考案を実施するための形態】
【００１０】
本考案に係る実施の形態について図面を参照して詳細に説明する。
【実施例】
【００１１】
図１、図２は本考案を実施する為の構成を示す断面図であり、給気フード１にヒーター２とサーモスイッチ３を内蔵する。
【００１２】
図３は本考案の実施例の斜視図であり、
【００１３】
図４は図３の取付時における給気の道筋を表している。
【００１４】
ヒーター２とサーモスイッチ３によって温度管理した外気を室内に取り入れる。
【産業上の利用可能性】
【００１５】
本考案は給気フードを製造する産業で利用される。
【符号の説明】
【００１６】
１．給気フード
２．ヒーター
３．サーモスイッチ
４．開口
５．ガラリ
６．防鳥網
８．本体受板
９．配線ボックス
１０．差込プラグ
【図１】
0003202518.tif 000003
【図２】
0003202518.tif 000004
【図３】
0003202518.tif 000005
【図４】
0003202518.tif 000006
【手続補正書】
【提出日】平成27年11月26日(2015.11.26)
【手続補正１】
【補正対象書類名】実用新案登録請求の範囲
【補正対象項目名】請求項１
【補正方法】変更
【補正の内容】
【請求項１】
本体にヒーターとサーモスイッチを備え、それらが一体化されたことにより、給気不足によるリスクの解消を容易になしうる給気フード。
(57)【要約】      （修正有）【課題】草刈作業の体力負担が少なく、取り換え可能なカッター刃を使うことにより安価で切れ味のよいＷ型簡単草刈器具を提供する。【解決手段】交換可能なカッター草刈刃を下面刈刃受けプレート２、上面刈刃押えプレート３にＷ型に取り付け、中央部に軽量パイプ握り柄１を地面に対して垂直方向へ６０度〜８５度の範囲に接続した。【選択図】図１
0003202519.tif 000002
【実用新案登録請求の範囲】
【請求項１】
カッター草刈刃を交換可能なW型ホルダーに取り付け  中央部に軽量パイプ柄を６０度〜８５度の範囲に接続することにより体力的負担が少なく効率的に草刈作業ができる。
【考案の詳細な説明】
【技術分野】
【０００１】
この発明は庭の雑草などの草刈作業が体力負担が少なく誰でも簡単にでき  葉の部分に取り換え可能なカッター刃を使うことにより安価で切れ味のよい草刈用器具
【背景技術】
【０００２】
従来の草刈用鎌などは刈り取り作業が一方向だけの動きになりやすい為腰などへの負担が大きく長時間作業が困難であった。
【考案の概要】
【考案が解決しようとする課題】
【０００３】
草刈時の腰や腕への負担を軽くする為の、刈刃部分の取り付け角度やその他に非効率な部分が多かった。
【考案の効果】
【０００４】
刈刃部分の形状と柄部の取り付け角度により刈り取り後の集積も容易にでき左右かつ正面と広範囲に作業ができる為体力的負担が少なく長時間作業が可能になった、また刃の部分のカッター刃を簡単に取り換えできるため、安価に切れ味を戻すことができる。
【図面の簡単な説明】
【０００５】
【図１】本発明に係る器具の斜図及び上面図
【考案を実施するための形態】
【０００６】
草刈カッター刃の部分をボルトにより取り換え可能にし、かつV次型にすることにより切れが良くなり、握り柄パイプと下面刈刃プレート部との角度を60度から85度の角度で取り付けることにより約240度方向の草刈作業が体力的負担が少なくできる。
【符号の説明】
【０００７】
1  握り柄部
2  下面刈刃受けプレート部
3  上面刈刃押えプレート部
4  カッター刈刃部
【図１】
0003202519.tif 000003
【手続補正書】
【提出日】平成27年11月26日(2015.11.26)
【手続補正１】
【補正対象書類名】実用新案登録請求の範囲
【補正対象項目名】全文
【補正方法】変更
【補正の内容】
【実用新案登録請求の範囲】
【請求項１】
交換可能なカッター草刈刃を下面刈刃受けプレート、上面刈刃押えプレートにW型に取り付け  中央部に軽量パイプ握り柄を地面に対して垂直方向へ６０度〜８５度の範囲に接続したことを特徴とするW型簡単草刈器具。
(57)【要約】      （修正有）【課題】薄くて軽く保温性に優れた風呂蓋を提供する。【解決手段】蓋となるＰボード１を使用し、Ｐボード１を補強するため、３本のプラモール２を蓋の両端と真ん中に互いに平行になるように取付けておもて面とし、うら面には浴槽の内側形状に合わせて蓋ズレ防止ストッパーを設け、ストッパーは軽く加工しやすい素材を用い、ストッパーの形状は数センチの高さで細長く作り、蓋の横長左右両サイドに取付けたことを特徴とする。【選択図】図１
0003202542.tif 000002
【実用新案登録請求の範囲】
【請求項１】
２枚割り風呂蓋に薄くて軽く保温性に優れたＰボードを使用しＰボードのフレームとしてプラモールを３本平行に取付け裏面には外周縁沿いに蓋ズレ防止ストッパーを取付けたことを特徴とする風呂蓋。
【考案の詳細な説明】
【技術分野】
【０００１】  本考案は風呂蓋に関するものである。
【背景技術】
【０００２】  風呂の２枚割り蓋を持ち上げる度、蓋が重く感じる。
なお、布製の風呂蓋が知られている（特許文献１参照）。
【先行技術文献】
【特許文献】
【０００３】
【特許文献１】  特開平１１−２２１１６６号公報
【考案の概要】
【考案が解決しようとする課題】
【０００４】  風呂に入るとき、２枚割り蓋が重いのは腰痛者にとって負担である。
高齢者や女性、子供にとっても蓋が重いのは負担である。
本考案は、以上の悩みを解決するのを目的とする。
【課題を解決しようとする手段】
【０００５】  ２枚割り蓋に薄くて軽いＰボードを使用し、Ｐボードを支えるフレームとなるプラモールを取付け、Ｐボードが風呂蓋としてズレないように防止ストッパーをうら面に取付けて課題を解決した。
以上を特徴とする風呂蓋である。
【考案の効果】
【０００６】  （イ）２枚割り蓋１枚の重さは従来品と比較して約１／５以下である。
（ロ）蓋となるＰボードは薄くて軽く保温性に優れている。
（ハ）蓋のおもて面はプラモールを３本取付け、水滴の重さに十分耐えた。
（ニ）蓋のうら面は蓋ズレ防止ストッパーで湯気逃げ防止にもなった。
【図面の簡単な説明】
【０００７】
【図１】本考案のおもて面を示す平面図
【図２】本考案のうら面を示す平面図
【図３】本考案の一部であるプラモールの構造を示す斜視図
【考案を実施するための形態】
【０００８】  以下、本考案の実施の形態を説明する。
（イ）浴槽の外側形状に合わせて２枚割り蓋となるＰボード（１）を２枚作る。
（ロ）Ｐボード（１）の両端と真ん中にプラモール（２）を３本取付ける。
（ハ）Ｐボード（１）のうら面は浴槽の内側形状に合わせて蓋ズレ防止ストッパー（３）を作り、蓋の横長左右両サイドに取付ける。
【符号の説明】
【０００９】  １  Ｐボード    ２  プラモール    ３  蓋ズレ防止ストッパー
【図１】
0003202542.tif 000003
【図２】
0003202542.tif 000004
【図３】
0003202542.tif 000005
(57)【要約】      （修正有）【課題】高級感があり、耐剥離性に優れた金箔貼り又はプラチナ箔貼り鉄瓶の提供を目的とする。【解決手段】表面層として金箔層又はプラチナ層を有する鉄瓶であって、前記表面層は鉄瓶鋳物素地１の表面に接着層２を介して第１の金箔層又はプラチナ層３を有し、その上に接着層４を介して第２の金箔層又はプラチナ層５を有することで２層以上の金箔層又はプラチナ層を有することを特徴とする。【選択図】図１
0003202549.tif 000002
【実用新案登録請求の範囲】
【請求項１】
表面層として金箔層又はプラチナ層を有する鉄瓶であって、
前記表面層は鉄瓶鋳物素地の表面に接着層を介して第１の金箔層又はプラチナ層を有し、その上に接着層を介して第２の金箔層又はプラチナ層を有することで２層以上の金箔層又はプラチナ層を有することを特徴とする鉄瓶。
【請求項２】
前記接着層はポリウレタン系の樹脂接着剤からなることを特徴とする請求項１記載の鉄瓶。
【考案の詳細な説明】
【技術分野】
【０００１】
本考案は、表面に金箔又は白金箔（プラチナ箔）を貼り合せた鉄瓶に関する。
【背景技術】
【０００２】
古くからお湯を沸かす鉄器として、鉄瓶が使用されている。
鉄瓶は、鉄瓶本体部，つぎ口，蓋及び取手となる鉉等からなる。
このうち、鉄瓶本体部，つぎ口（注ぎ口），蓋等は鋳金とも称される鋳造にて製作されている。
また、鉉は鍛金とも称される鍛造にて製作されている。
また、鉄瓶本体部等の表面には、彫金と称される手法にて模様や文字が施されたものもある。
表面には、錆止めとして生漆を塗り、内面には金止めとして酸化皮膜が施されている。
また、これまでは黒，赤等に独自の製法で着色されたものはあるが、金色やプラチナ色等の高級感のあるものは存在しなかった。
特許文献１には、金箔の下地として乾燥させたＵＶインキ層を用いる技術が開示されているが、鉄瓶に適用できるものではない。
【先行技術文献】
【特許文献】
【０００３】
【特許文献１】特開平１０−３０９８９４号公報
【考案の開示】
【考案が解決しようとする課題】
【０００４】
本考案は、高級感があり、耐剥離性に優れた金箔貼り又はプラチナ箔貼り鉄瓶の提供を目的とする。
【課題を解決するための手段】
【０００５】
本考案に係る鉄瓶は、表面層として金箔層又はプラチナ層を有する鉄瓶であって、前記表面層は鉄瓶鋳物素地の表面に接着層を介して第１の金箔層又はプラチナ層を有し、その上に接着層を介して第２の金箔層又はプラチナ層を有することで２層以上の金箔層又はプラチナ層を有することを特徴とする。
ここで、接着層はポリウレタン系の樹脂接着剤からなるのが好ましい。
【０００６】
従来から金箔やプラチナ箔の貼り合せには漆が使用され、一重に金箔を貼ったり、プラチナ箔を貼ったりするものであった。
しかし、このような従来の貼り方を鉄瓶にそのまま用いると、湯沸かしの際にすぐに剥がれてしまう課題があった。
そこで、本考案者は二重以上に箔を貼り合せたものであり、その際に漆ではなくポリウレタン系の接着剤を用いるとさらに耐久性に優れることを見出し、本考案に至った。
【０００７】
本考案に用いる箔は、純金，金と銀及び銅との合金，純プラチナ等を延金，上澄，箔打ち等の工程を経て、厚み１０，０００分の２〜５ｍｍの箔にしたものである。
【０００８】
本発明に用いる接着剤は、湯を沸かす温度に耐えられるものであれば、各種接着剤を使用することができるが、その中でもポリウレタン樹脂を主剤に用いた一液又は二液性の接着剤が好ましい。
【考案の効果】
【０００９】
本考案に係る鉄瓶は、金箔又はプラチナ箔等の箔を接着層を介して二重以上に貼り合せた複層になっているので、繰り返し湯沸かしに用いても剥がれにくく、高級感があり、実用性の高い鉄瓶が得られる。
【図面の簡単な説明】
【００１０】
【図１】本考案に係る鉄瓶の表層構造例を示す。
【図２】（ａ），（ｂ）は鉄瓶本体部，注ぎ口及び鉉に二重に金箔を貼り、鉄瓶本体部の側面の模様部にさらにプラチナ箔を接着層を介して貼り合せた例を示す。また、蓋もつまみ部を除いて二重に金箔を貼り合せてある。
【考案を実施するための最良の形態】
【００１１】
本考案に係る鉄瓶の例を以下、図面に基づいて説明する。
図１に鉄瓶の模式図を示し、図２に外観写真（グレースケール）を示す。
鉄瓶本体部１１，注ぎ口１１ａ，鉉１２及び蓋１３（つまみ部を除く）に対して、図１に表面層の断面図を示すように、鋳造した素地１の表面にポリウレタン系の接着剤を薄く塗布し（第１接着層２）、金箔を箔押し、貼り合せ、第１箔層３とした。
なお、鋳造した素地には、従来の錆止めの漆を塗ってあってもよい。
接着剤は主剤と硬化剤からなる二液性で希釈剤で薄めて塗った。
その上に金箔を箔押しし、貼り合せた。
この状態で約１週間乾燥させた。
次に、上記第１箔層３の上に上記と同様に接着剤を薄く塗布することで、第２接着層４とし、その上に金箔を貼り合せ、第２箔層５を形成した。
この状態でさらに１週間乾燥させた。
このようにして得られた鉄瓶を本考案品とする。
また、比較のために従来の漆を使用して、金箔を一層のみ貼り合せた比較品を作成した。
このようにして製作した本考案品と比較品とを火にかけて、１日当たり６時間、湯沸かしに使用した。
本考案品は、１０日間連続使用しても外観に全く変化がなかったが、比較品は２日目にすでに一部金箔の剥がれが認められた。
これにより、本考案による鉄瓶は金箔が剥がれにくく、実用的であることが明らかになった。
【００１２】
上記の考案品において、金箔の替わりにプラチナ箔を用いたところ、金箔品と同様に１０日間連続使用してもプラチナ箔の剥がれが全くなかった。
【００１３】
図２にはグレースケールではあるが、本考案に係る鉄瓶の外観写真を示す。
鉄瓶本体部１１，注ぎ口１１ａ，鉉１２及び蓋１３（つまみを除く）をポリウレタン系接着剤を介して、金箔を二重に積層した。
模様１４の部分はさらに上記接着剤を介してプラチナ箔を箔押しした例である。
なお、プラチナ箔を鉄瓶本体部等の表面に接着剤を介して二重に積層し、模様部分を必要に応じて金箔を箔押し貼付してもよい。
【符号の説明】
【００１４】
１        素地
２        第１接着層
３        第１箔層
４        第２接着層
５        第２箔層
１１      鉄瓶本体部（二重金箔）
１１ａ    注ぎ口（二重金箔）
１２      鉉（二重金箔）
１３      蓋（二重金箔）
１４      模様（プラチナ箔）
【図１】
0003202549.tif 000003
【図２】
0003202549.tif 000004
(57)【要約】【課題】ペットかごの底部を廃水口のある中央に低く形成した場合において、その表面に洗浄水が均等に流れながら廃水口に向かうために、糞等の洗い残りが生じなくなるペット飼育かごにおける糞等の水洗装置を提供する。【解決手段】ペットが動き回る空間を有するかご下部の基盤に、ペットの糞等が落ちる広い底受皿を嵌着し、該底受皿は、円形の中央に低く傾斜するすり鉢状に形成されるとともに、最も低い中央に廃水口を設けてあって、底受皿の周囲の高所の少なくとも一か所に洗浄水の噴出口を設け、その噴出口は、底受皿と同心円の周方向に水が噴出されるように設定されている。【選択図】    図１
0003202599.tif 000002
【実用新案登録請求の範囲】
【請求項１】
ペットが動き回る空間を有するかご下部の基盤に、ペットの糞等が落ちる広い底受皿を嵌着し、該底受皿は、円形の中央に低く傾斜するすり鉢状に形成されるとともに、最も低い中央に廃水口を設けてあって、底受皿の周囲の高所の少なくとも一か所に洗浄水の噴出口を設け、その噴出口は、底受皿と同心円の略周方向に水が噴出されるように設定されていることを特徴とするペット飼育かごにおける糞等の水洗装置。
【請求項２】
底受皿の高い周囲に沿って、水の溢れを防止する防水壁を突設してあることを特徴とする請求項１記載のペット飼育かごにおける糞等の水洗装置。
【考案の詳細な説明】
【技術分野】
【０００１】
この考案は、インコやオーム等の小鳥やウサギ、リス等の小動物の糞や餌屑等を掃除しやすくしたペット飼育かごにおける糞等の水洗装置に関する。
【背景技術】
【０００２】
従来、ペットの飼育かごにおいては、排便された糞は底部に落ちると付着したまま乾燥するので、それを拭き取って掃除する作業が容易ではなかった。そこで、水を流して乾かないうちに水洗により糞等を処理するようにした提案がなされる（特許文献１）。
【０００３】
同文献による水洗装置は、鳥かごの底部に中央へ低く傾斜させた底受を設ける一方、底受周囲の高所に周囲に沿って出水口を隙間状に設け、低い中央に廃水口を設けたもので、出水口から放水された水が斜面を流れるときに糞などを廃水口に洗い流すようになっていた。
【０００４】
なお、同文献によると廃水口から下に流下した汚水は、浄化装置により濾過され、ポンプにより出水口に返送されるよう、水の循環利用を図る提案が同時になされる。
【先行技術文献】
【特許文献】
【０００５】
【特許文献１】実開昭５８−１６０６０号公報
【考案の概要】
【考案が解決しようとする課題】
【０００６】
上記のような従来のペット用の水洗装置によれば、中央に低く傾斜する底受板が傾斜板の四面からなり、四面ごとに上端周囲の隙間口から水を流すことにより傾斜面に付着する鳥の糞等を洗い流すことができるが、傾斜板四面にそれぞれ上から水を均等に流すことは微妙に難しく、例えばかごの傾斜が原因により流れにむらが生じることで、糞の取残しが生じるという問題があった。
【０００７】
この考案は、上記のような実情に鑑みて、ペットかごの底部を廃水口のある中央に低く形成した場合において、その表面に洗浄水が均等に流れながら廃水口に向かうために、糞等の洗い残りが生じなくなるペット飼育かごにおける糞等の水洗装置を提供することを課題とした。
【課題を解決するための手段】
【０００８】
上記の課題を解決するために、ペットが動き回る空間を有するかご下部の基盤に、ペットの糞等が落ちる広い底受皿を嵌着し、該底受皿は、円形の中央に低く傾斜するすり鉢状に形成されるとともに、最も低い中央に廃水口を設けてあって、底受皿の周囲の高所の少なくとも一か所に洗浄水の噴出口を設け、その噴出口は、底受皿と同心円の周方向に水が噴出されるように設定されていることを特徴とするペット飼育かごにおける糞等の水洗装置を提供する。
【０００９】
ペット飼育かごにおける水洗装置を上記のように構成したから、これを使用するには、水源を開いて吐出口から水を放出すると、放出の勢いにより底受皿の周囲の高い箇所からカーブしながら次第に中心に向かうので、誤ってかごの傾き等があってもそれに左右されること無く渦巻き状になめつくすように全面を覆った流れとなるので、底受皿に取り残しなく糞や餌屑等をとらえた汚水が中心の廃水口から下へ排出される。
【００１０】
基本的には上記のような水流となるが、廃水口からの水の排出量を適度に少なく抑制すると、底受皿に溜まった水が渦流となることから、乾いた糞等も容易に落ちることになる。
【考案の効果】
【００１１】
以上説明したように、この考案によれば、ペットかごの底部にすり鉢状の底受皿を設け、その上から周囲方向に水を噴出させる勢いで、底受皿の全面を覆う渦巻き状の面水流や、満水での渦流を発生させることにより、取り残しなく糞や餌屑等を効果的に処理でき、ペット飼育かごの掃除が非常に簡便で楽になるという優れた効果がある。
【図面の簡単な説明】
【００１２】
【図１】この考案に係るペット飼育かごを示す斜視図である。
【図２】同ペット飼育かごに装備される水洗装置を示す拡大平面図である。
【図３】同ペット飼育かごに装備される水洗装置の拡大断面図である。
【考案を実施するための形態】
【００１３】
この考案において、吐水口１３は、底受皿７の上端に設けるが、数については一か所に限らなく、等分の配置により複数か所に設けることができ、そうするとさらに渦流の波及が均等化する。
【００１４】
なお、実施例では、貯水タンク１０や、汚水タンク１２を使用したが、水道水を直接取り入れ、下水に直接流し込むようにすることもできる。
【実施例】
【００１５】
図１は、鳥かごを水洗装置とともに示す斜視図であり、図２及び図３は、水洗装置の主要部を示す平面図及び断面図である。
【００１６】
鳥かご１は、線材により円筒のキャップ状の形に組み立てられ、その下端に基盤３を有し、上端に吊輪５を備えた一般的な鳥かごであるが、底の基盤３の中に底受皿７が納められる。また、この鳥かご１には、洗浄の貯水タンク１０および廃水タンク１２が装備される。
【００１７】
底受皿７は、円形の周囲が高く中央に低く傾斜するすり鉢形であって、最も低い中央に廃水口９が設けられる。また、周囲上端には防水壁１１が環状に立設され、貯水タンク１０の給水先端である吐水口１３が防水壁１１の内側に開口される。
【００１８】
吐水口１３は、蛇口１５の先端に設けたノズル１７の先端に開口され、吐水口１３の向きは、廃水口９を中心とする仮想円１９の周方向(ほぼ接線方向)になっている。そこで、水をその横方向に噴出させると、防水壁１１に沿って噴出流が曲がりながら次第に下ることで一点鎖線に示すように渦巻きとなる。そして、廃水口１３に直ぐに排出されるときには、表面渦流αとなり、廃水が抑制されるときには、満水渦流βとなる。いずれも、渦流の勢いで糞等を洗いとって汚水となって廃水口９から流出し、汚水タンク１２に貯えられる。
【符号の説明】
【００１９】
１  かご
３  基盤
７  底受皿
８  廃水口
１１  防水壁
１３  吐出口
１９  同心円(仮想円)
【図１】
0003202599.tif 000003
【図２】
0003202599.tif 000004
【図３】
0003202599.tif 000005
(57)【要約】      （修正有）【課題】一種粘土工芸品を作る用のマネモールドを提供する。【解決手段】支持板１を含み、支持板１の右側面にＴ字形のカードスロットを設置する。カードスロットにマネブレイド２を配合する。支持板１の底にストッパープレートを設置する。ストッパープレートはカードスロットを密封する。ストッパープレートの底にガイド溝を設置する。ストッパープレートの下の方にガイド板を設置する。ガイド板のトップにガイド溝を配合するガイド条４０１を設置する。【選択図】図１
0003202524.tif 000002
【実用新案登録請求の範囲】
【請求項１】
粘土工芸品を作るためのマネモールドにおいて、支持板を含み、上述の支持板の右側面にT字形のカードスロットが設置され、上述のカードスロットにマネブレイドが接続され、上述の支持板の底部にストッパープレートが設置され、上述のストッパープレートは上述のカードスロットを密封し、上述のストッパープレートの底部にガイド溝が設置され、上述のストッパープレートの下方にガイド板が設置され、上述のガイド板の上部に上述のガイド溝と接続するガイド条が設置されることを特徴とするマネモールド。
【請求項２】
請求項１に記載のマネモールドにおいて、上述の支持板の左端面に取っ手が設置され、上述の取っ手と上述の支持板は一体構造であることを特徴とするマネモールド。
【請求項３】
請求項１に記載のマネモールドにおいて、上述の取っ手と上述の支持板はPVCプラスチックで作成されることを特徴とするマネモールド。
【請求項４】
請求項１に記載のマネモールドにおいて、上述のカードスロットと上述のマネブレイドはぴったり合わせられることを特徴とするマネモールド。
【考案の詳細な説明】
【技術分野】
【０００１】
本実用新案は一種粘土工芸品を作る用のマネモールドに関連する。
【背景技術】
【０００２】
粘土工芸品を作成する過程に、普通は回転台を採用して工芸品を支える。その後、回転台の回転運動を通じて工芸品の外聞輪郭の制作を完成される。会部輪郭を制作際に、多くに手で直接に塑像する。このような塑像の精度が低いから、作った製品の間に大きな誤差が出る。
【考案の概要】
【考案が解決しようとする課題】
【０００３】
本実用新案の解決する技術問題は一種粘土工芸品を作る用のマネモールドを提供することだ。この装置は需要の工芸品の外見によって柔軟にマネブレイドの具体的な形を調整できる。回転台の回転を通じてマネブレイドを配合して、比較的に早く工芸品の外部輪郭の塑像を作ることができる。且つ、作れた工芸品の精度も高い。
【課題を解決するための手段】
【０００４】
上述の問題を解決するために、本実用新案は以下の技術方案を採用する。一種粘土工芸品を作る用のマネモールドである。支持板を含まれて、上述の支持板の右側面にT字形のカードスロットを設置される。上述のカードスロットにマネブレイドを配合される。上述の支持板の底にストッパープレートを設置される。上述のストッパープレートは上述のカードスロットを密封される。上述のストッパープレートの底にガイド溝を設置される。上述のストッパープレートの下の方にガイド板を設置される。上述のガイド板のトップに上述のガイド溝を配合するガイド条を設置される。
【０００５】
優先的な技術方案として、上述の取っ手と上述の支持板は一体式構造である。
【０００６】
優先的な技術方案として、上述の取っ手と上述の支持板はPVCプラスチックで作成される。
【０００７】
優先的な技術方案として、上述のカードスロットと上述のマネブレイドにぴったり合われる。
【考案の効果】
【０００８】
本実用新案の有益な効果はこの装置は需要の工芸品の外見によって柔軟にマネブレイドの具体的な形を調整できる。回転台の回転を通じてマネブレイドを配合して、比較的に早く工芸品の外部輪郭の塑像を作ることができる。且つ、作れた工芸品の精度も高い。本装置の構築は簡単で、コストも低いし、使い方も便利で、普及させるべきだ。
【図面の簡単な説明】
【０００９】
【図１】本実用新案のフロントビューである。
【図２】支持板のフロントビューである。
【図３】本支持板の俯瞰図である。
【考案を実施するための形態】
【００１０】
下記は附図を結合して本実用新案の優先実施例を詳しく述べて、本実用新案のメリットと特徴をもっと容易に本分野の技術員に理解される。そして、本実用新案の保護範囲をより明らかにより明確な範囲を決める。
【００１１】
図1、図2と図3の一種粘土工芸品を作る用のマネモールドを参照して、支持板１を含まれて、上述の支持板の右側面にT字形のカードスロット101を設置される。上述のカードスロット101にマネブレイド2を配合される。上述の支持板1の底にストッパープレート3を設置される。上述のストッパープレート3は上述のカードスロット101を密封される。上述のストッパープレート3の底にガイド溝（図示しない）を設置される。上述のストッパープレート3の下の方にガイド板4を設置される。上述のガイド板4のトップに上述のガイド溝を配合するガイド条401を設置される。
【００１２】
本実用新案の中の良い実施例は上述の支持板1の左端面に取っ手5を設置される。上述の取っ手5と上述の支持板1は一体式構造である。
【００１３】
本実用新案の中の良い実施例は上述の取っ手5と上述の支持板1はPVCプラスチックで作成される。
【００１４】
本実用新案の中の良い実施例は上述のカードスロット101と上述のマネブレイド2にぴったり合われる。
【００１５】
本実用新案の有益な効果はこの装置は需要の工芸品の外見によって柔軟にマネブレイドの具体的な形を調整できる。回転台の回転を通じてマネブレイドを配合して、比較的に早く工芸品の外部輪郭の塑像を作ることができる。且つ、作れた工芸品の精度も高い。本装置の構築は簡単で、コストも低いし、使い方も便利で、普及させるべきだ。
【００１６】
以上の描写は単なる本実用新案の具体的な実施方式しかない。しかし、本実用新案の保護範囲はそこまで限定されない。どのような創造性の労働をしなく考えた変化や変更でも、本実用新案の保護範囲内に含まれるべきだ。だから、本実用新案の保護範囲は権利要求書に決められる保護範囲を基準とするべきだ。
【符号の説明】
【００１７】
１  支持板
2  マネブレイド
3  ストッパープレート
4  ガイド板
101  カードスロット
【図１】
0003202524.tif 000003
【図２】
0003202524.tif 000004
【図３】
0003202524.tif 000005
【手続補正書】
【提出日】平成27年11月25日(2015.11.25)
【手続補正１】
【補正対象書類名】実用新案登録請求の範囲
【補正対象項目名】請求項３
【補正方法】変更
【補正の内容】
【請求項３】
請求項２に記載のマネモールドにおいて、上述の取っ手と上述の支持板はPVCプラスチックで作成されることを特徴とするマネモールド。
(57)【要約】      （修正有）【課題】ホースを通して水をブラシの中に引き込んで、オリフィスを通して便器の内壁を洗浄し、洗浄の過程に便器をきれいに掃除して、より一層汚れを除去できると同時に、水の消耗量を低減できる半球形の便器棒たわしを提供する。【解決手段】ブラシ１とハンドル２を含め、そのハンドル２の左に接続端３があり、そのブラシ１の右に第一接続端４があり、その接続端３と第一接続端４はねじで接続、そのブラシ１は中空構造であり、ブラシ１の外表面にオリフィス１０１を設置してあり、そのブラシ１の外表面に毛１０２を設置してあり、その毛１０２とそのオリフィス１０１の間隙間を残り、そのハンドル２の右に第二接続端２１１があり、その第二接続端２１１がハンドル２と離れる一端はホース５を配置してある。【選択図】図１
0003202522.tif 000002
【実用新案登録請求の範囲】
【請求項１】
便器棒たわしにおいて、ブラシとハンドルを含み、そのハンドルの左に接続端があり、そのブラシの右に第一接続端があり、その接続端と第一接続端はねじで接続され、そのブラシは中空構造であり、ブラシの外表面にはオリフィスが設置してあり、そのブラシの外表面に毛が設置してあり、その毛とそのオリフィスの間には隙間があり、そのハンドルの右には第二接続端があり、その第二接続端の一端はホースが配置してあることを特徴とする便器棒たわし。
【請求項２】
請求項１に記載の便器棒たわしにおいて、その接続端と第一接続端の間はオーリングが配置してあることを特徴とする便器棒たわし。
【請求項３】
請求項１に記載の便器棒たわしにおいて、そのハンドルの外側に手袋があり、その手袋とハンドルの間は接着剤で固定すされることを特徴とする便器棒たわし。
【請求項４】
請求項１に記載の便器棒たわしにおいて、そのハンドル手袋はゴムで作ったものであることを特徴とする便器棒たわし。
【請求項５】
請求項１に記載の便器棒たわしにおいて、そのブラシの毛はPVCプラスチック毛であることを特徴とする便器棒たわし。
【考案の詳細な説明】
【技術分野】
【０００１】
本実用新型は半球形の便器棒たわしに関連する。
【背景技術】
【０００２】
便器棒たわしはよく見られるトイレ施設である。棒たわしで便器の内壁に残った汚れを除去することができるが、一部の汚れは便器の内壁にしつこく接着しているから、きれいに除去するために頻繁に便器を洗浄する必要がある。頻繁な洗浄は水の無駄遣いになる。
【考案の概要】
【考案が解決しようとする課題】
【０００３】
本実用新型が解決する必要な問題は半球形の便器棒たわしを提供することで、この装置はホースを通して水をブラシの中に引き込んで、オリフィスを通して便器の内壁を洗浄し、洗浄の過程に便器をきれいに掃除して、より一層汚れを除去できると同時に、水の消耗量を低減する。
【課題を解決するための手段】
【０００４】
以上の問題を解決するために、以下の技術案を採用する。一種の半球形の便器棒たわし、ブラシとハンドルを含め、そのハンドルの左に接続端があり、そのブラシの右に第一接続端があり、その接続端と第一接続端はねじで接続、そのブラシは中空構造であり、ブラシの外表面にオリフィスを設置してあり、そのブラシの外表面に毛を設置してあり、その毛とそのオリフィスの間隙間を残り、そのハンドルの右に第二接続端があり、その第二接続端がハンドルと離れる一端はホースを配置してある。
【０００５】
優秀な技術案として、その接続端と第一接続端の間はオーリングを配置してある。
【０００６】
優秀な技術案として、そのハンドルの外側に手袋があり、その手袋とハンドルの間は接着剤で固定する。
【０００７】
優秀な技術案として、そのハンドル手袋はゴムで作ったものである。
【０００８】
優秀な技術案として、そのブラシの毛はPVCプラスチック毛である。
【考案の効果】
【０００９】
本実用新型の有益な効果は：この装置はホースを通して水をブラシの中に引き込んで、オリフィスを通して便器の内壁を洗浄し、洗浄の過程に便器をきれいに掃除して、より一層汚れを除去できると同時に、水の消耗量を低減する。この装置の構造は簡単で、コストが低い、普及することに相応しい。
【図面の簡単な説明】
【００１０】
【図１】本実用新型の見取り図である。
【考案を実施するための形態】
【００１１】
これから附図をあわせて本実用新型の優秀な実施例に対して詳しく紹介する、本実用新型のメリットと特徴はこの分野の技術者にもっと簡単に理解されるから、本実用新型の保護範囲をより明白ではっきりに定義できる。
【００１２】
図面１に示した半球形の便器棒たわしを参考してください。ブラシ１とハンドル2を含め、そのハンドル2の左に接続端3があり、そのブラシ1の右に第一接続端4があり、その接続端3と第一接続端4はねじで接続、そのブラシ1は中空構造であり、ブラシ1の外表面にオリフィス101を設置してあり、そのブラシ1の外表面に毛102を設置してあり、その毛102とそのオリフィス101の間隙間を残り、そのハンドル2の右に第二接続端211があり、その第二接続端211がハンドル2と離れる一端はホース5を配置してある。
【００１３】
本実用新型の好ましい実施例として、その接続端3と第一接続端4の間はオーリング311を配置してある。
【００１４】
本実用新型の好ましい実施例として、そのハンドル2の外側に手袋6があり、その手袋6とハンドル2の間は接着剤で固定する。
【００１５】
本実用新型の好ましい実施例として、そのハンドル手袋６はゴムで作ったものである。
【００１６】
本実用新型の好ましい実施例として、そのブラシの毛102はPVCプラスチック毛である。
【００１７】
本実用新型の有益な効果は、この装置はホースを通して水をブラシの中に引き込んで、オリフィスを通して便器の内壁を洗浄し、洗浄の過程に便器をきれいに掃除して、より一層汚れを除去できると同時に、水の消耗量を低減する。この装置の構造は簡単で、コストが低い、普及することに相応しい。
【００１８】
以上はただ本実用新型の具代的な実施方法であるが、本実用新型の保護範囲はこれだけではない、あらゆる創造性付きな労働でなければ、想像できた変化と取替えは、皆本実用新型の保護範囲以内に属するべきである。だから、本実用新型の保護範囲は権利要求書が限定した保護範囲を基準にするべきである。
【符号の説明】
【００１９】
１  ブラシ
2  ハンドル
3  接続端
4  第一接続端
【図１】
0003202522.tif 000003
【手続補正書】
【提出日】平成27年11月25日(2015.11.25)
【手続補正１】
【補正対象書類名】実用新案登録請求の範囲
【補正対象項目名】請求項３
【補正方法】変更
【補正の内容】
【請求項３】
請求項１に記載の便器棒たわしにおいて、そのハンドルの外側に手袋があり、その手袋とハンドルの間は接着剤で固定されることを特徴とする便器棒たわし。
【手続補正２】
【補正対象書類名】実用新案登録請求の範囲
【補正対象項目名】請求項４
【補正方法】変更
【補正の内容】
【請求項４】
請求項３に記載の便器棒たわしにおいて、そのハンドル手袋はゴムで作ったものであることを特徴とする便器棒たわし。
(57)【要約】      （修正有）【課題】腰痛解消及び予防のための腰痛解消マットレスを提供する。【解決手段】マットレス１に長手辺方向の中央に短手辺方向に平行に幅約５０ｃｍ程、横約４０ｃｍ程、に浅い窪み２を設け、三つ折りにして収納できるよう、切れ目３を入れ、折り畳み支点４を設けた。【選択図】図１
0003202939.tif 000002
【実用新案登録請求の範囲】
【請求項１】
マットレスに長手辺方向の中央に短手辺方向に平行に幅約５０ｃｍ程、横約４０ｃｍ程、に浅い窪みを設け、三つ折りにして収納できるよう、切れ目を入れ、折り畳み支点を設けたことを特徴とする腰痛解消マットレス。
【考案の詳細な説明】
【技術分野】
【０００１】  本考案は、腰痛解消及び予防に関するものである。
【背景技術】
【０００２】  従来、腰痛の治療は手術、注射、及び薬の服用、又はコルセットの使用、並びにリハビリ等である。
【先行技術文献】
【０００３】
【考案の概要】
【考案が解決しようとする課題】
【０００４】  腰痛の治療は手術、注射、薬の服用、又はコルセットの使用、並びにリハビリ等があるが、何れも完治は難しく、悩みながら半ば諦めており、又高齢者の腰痛は、これ以上に難しく、悪化しないようリハビリをするしかなかった。
【課題を解決するための手段】
【０００５】  マットレスに長手辺方向の中央に短手辺方向に平行に幅約５０ｃｍ程、横約４０ｃｍ程、に浅い窪みを設ける。
以上の構成によりなる腰痛解消マットレスである。
【考案の効果】
【０００６】  腰痛解消マットレスの窪みに尻部分を入れ就眠することにより、朝はすっきり、目覚めがよく腰痛は無くなりました。
【図面の簡単な説明】
【０００７】
【図１】  本考案の斜視図
【図２】  本考案の長手辺よりの側面図
【図３】  本考案の短手辺よりの側面図
【図４】  本考案の使用状態を示す斜視図
【考案を実施するための形態】
【０００８】  以下、本考案の実施の形態を説明する。
マットレスに長手辺方向の中央に短手辺方向に平行に幅約５０ｃｍ程、横約４０ｃｍ程、に浅い窪み（２）を設け、三つ折りにして収納できるよう、切れ目（３）を入れ折り畳み支点（４）を設ける。
本考案は以上のような構造である。
本考案を使用するときは、腰痛解消マットレス（１）を広げ、その上に敷き布団を敷き、尻部分を窪み（２）に入れ就眠する。
【符号の説明】
【０００９】１      腰痛解消マットレス
２      窪み
３      折り畳み切れ目
４      折り畳み支点
５      敷き布団
６      枕
【図１】
0003202939.tif 000003
【図２】
0003202939.tif 000004
【図３】
0003202939.tif 000005
【図４】
0003202939.tif 000006